(57)【特許請求の範囲】
【請求項１】
電池によって動作し、
監視エリアの物理的現象を検出して検出信号を出力するセンサ部と、
前記電池から供給される電源電圧を検出する電池電圧検出部と、
報知音を出力する報知部と、
前記検出信号に基づいて異常を検知した場合に前記報知部から異常を示す報知音を出力させ、電池電圧の低下及び前記センサ部の故障を含む自己の障害を検知した場合に前記報知部から障害を示す報知音を間欠的に出力させる警報処理部と、
を備えた警報器に於いて、
音響信号を増幅して前記報知部に出力する増幅部と、
前記増幅部の利得を制御する利得制御部と、
前記自己の障害を示す報知音の音量を、前記異常を示す報知音に比べて小さくするように、前記利得制御部に利得制御を指示する音量制御部と、
を設け、前記音量制御部は、
前記警報処理部で異常を検出した場合に、前記報知音のピーク音量が所定値以上となるように、前記警報処理部で前記自己の障害を検知した場合に、前記報知音の出力開始初期の所定期間以降の音量を前記出力開始初期の所定期間に比べて小さくするように、前記利得制御部に利得制御を指示することを特徴とする警報器。
【請求項２】
請求項１記載の警報器に於いて、前記音量制御部は、前記警報処理部で異常または前記自己の障害を検知した場合に、前記報知音の出力開始初期の所定部分の音量をそれ以降の部分に比べて小さくするように、前記利得制御部に利得制御を指示することを特徴とする警報器。
【請求項３】
請求項１記載の警報器に於いて、前記音量制御部は、前記警報処理部で前記電池電圧低下の障害を検知した場合に、前記報知部から間欠的に出力する障害を示す報知音の２回目以降の音量を初回に比べて小さくするように、前記利得制御部に利得制御を指示することを特徴とする警報器。
【発明の詳細な説明】
【技術分野】
【０００１】
本発明は、一般住宅等に設置され火災を監視して警報する、電池駆動式の警報器に関する。
【背景技術】
【０００２】
従来、住宅における火災やガス漏れなどの異常（異状）を検知して警報する警報器が普及している。このうち、住宅用災警報器を住警器と言う。
【０００３】
このような住警器にあっては、センサ部と警報部を一体に備え、センサ部の信号から火災を検知すると警報部で火災警報を出すようにしており、住警器単体で火災監視（火災検知）と警報出力ができることから、設置が簡単でコスト的にも安価であり、一般住宅での設置義務化に伴い広く普及している。
【０００４】
従来の住警器で火災を検知した場合には、例えば「ウーウー  火事です  火事です」といった警報音を出力するようにしている。ここで前半の「ウーウー」はスイープ音と呼ばれ、２〜３ＫＨｚといった聞き取りやすい範囲で周波数を時間に対し直線的に変化させている。
【０００５】
このようなスイープ音と音声メッセージから構成された警報音の出力は、１チップＣＰＵとして知られたプロセッサのＲＯＭに音声データを記憶して準備し、この音声データをＲＯＭから読み出してＰＷＭパルス（パルス幅変調パルス）に変換し、ＰＷＭパルスを外部回路として設けたローパスフィルタを通して音声信号波形に変換し、同じく外部回路として設けた音声アンプで増幅した後にスピーカから出力させている。
【０００６】
このように音声データをＰＷＭパルスに変換して警報音を出力するＰＷＭ変換方法は、音声データをアナログ変換する高価なＡＤ変換器を必要とせず、低コストで音声出力を行うことができる。
【０００７】
また、近年、住警器の低消費電力化が推し進められた結果、電池寿命が例えば１０年以上といった長寿命が保証されており、その間、電池交換は不要である。長期間使用して電池寿命に近づき、電池電圧（残り容量）の低下が検出されると、電池切れ予告警報を出力報知して電池交換を促すようにしている。電池切れ予告警報は、例えば「ピッピッピッ  電池切れです」といった警報メッセージや表示ランプの一時的な点灯といった同じ警報を所定時間毎に繰り返すようにしている。
【０００８】
更に、住警器には点検機能が設けられ、通常の監視状態で警報停止スイッチを操作すると、センサや検出回路等の故障の有無を判別する自己点検が実行され、異常がなければ、例えば「正常です」といった内容を含む音声メッセージを出力し、もし故障を検出していれば「ピッ  故障です」といった音声メッセージを出力し、これを所定時間毎に繰り返すようにしている。
【先行技術文献】
【特許文献】
【０００９】
【特許文献１】特開２００５−４４３１７号公報
【特許文献２】特開２００４−５４３５６号公報
【発明の概要】
【発明が解決しようとする課題】
【００１０】
しかしながら、このような従来の住警器にあっては、火災を検知した時に出力するピーク警報音量として規格上定められたレベルを確保するように音声アンプの増幅利得を設定しているが、電池電圧の低下やセンサ故障など所定の障害を示す報知音量についても火災を検知した場合と同じレベルとしており、報知内容を確実に知らせることができるメリットもあるが、一方で、必要以上の音量となっており、障害を示す報知に要する電池消耗のため、電池寿命を伸長することが難しくなるという問題がある。
【００１１】
また電池電圧低下を示す警報音は、略同じ音量で所定時間毎に繰り返すようにしており、障害を判定した直後は利用者に確実に知らせるために充分な音量で良いが、障害判定からの経過時間が長くなってくると、利用者が既に障害状態であることを知っている場合が多くなることから、同じ音量で繰り返していると煩わしく感じられるという問題がある。
【００１２】
また火災を検知した時に出力する警報音量はそのピークが規格を満たす所定の大音量による報知を行うこととなり、突然に大音量の報知を始めると、利用者を驚かせ、落ち着いた避難行動ができなくなる恐れもある。
【００１３】
本発明は、火災等の異常や障害を示す出力音響の音量を状況に応じて適切に制御可能な警報器を提供することを目的とする。
【課題を解決するための手段】
【００１４】
本発明は、
電池によって動作し、
監視エリアの物理的現象を検出して検出信号を出力するセンサ部と、
電池から供給される電源電圧を検出する電池電圧検出部と、
報知音を出力する報知部と、
検出信号に基づいて異常を検知した場合に報知部から異常を示す報知音を出力させ、電池電圧の低下及びセンサ部の故障を含む自己の障害を検知した場合に報知部から障害を示す報知音を間欠的に出力させる警報処理部と、
を備えた警報器に於いて、
音響信号を増幅して報知部に出力する増幅部と、
増幅部の利得を制御する利得制御部と、
自己の障害を示す報知音の音量を、異常を示す報知音量に比べて小さくするように、利得制御部に利得制御を指示する音量制御部と、
を設け、音量制御部は、
警報処理部で異常を検出した場合に、前記報知音のピーク音量が所定値以上となるように、警報処理部で自己の障害を検知した場合に、報知音の出力開始初期の所定期間以降の音量を出力開始初期の所定期間に比べて小さくするように、利得制御部に利得制御を指示することを特徴とする。
【００１６】
ここで、音量制御部は、警報処理部で異常または自己の障害を検知した場合に、報知部から出力する報知音の出力開始初期の所定部分の音量をそれ以降の部分に比べて小さくするように、利得制御部に利得制御を指示する。
【００１７】
また、音量制御部は、警報処理部で電池電圧低下の障害を検知した場合に、報知部から間欠的に出力する障害を示す報知音の２回目以降の音量を初回に比べて小さくするように、利得制御部に利得制御を指示する。
【発明の効果】
【００１８】
本発明によれば、火災をはじめとする異常を示す報知音量に対する音量を大きくし、電池電圧の低下（経時的な電流消費の累積によるものおよび周囲温度の低下に伴うもの）、センサ部の故障等所定の障害を示す報知音量を火災の報知音響の音量よりも小さくすることにより、報知内容の緊急度や重要度に応じた適切な音量による報知ができる。
【００１９】
また、本発明は、センサ部からの検出信号に基づき警報処理部で異常を検知した場合に、その報知に係る報知音響中の初期部分の音量を、それ以降の音量に比べて小さくするので、小さい音から報知を始め、その後に規格を満たす所定の大音量による報知を行うこととなり、利用者を驚かせることがなく、落ち着いて、且つ確実に異常に気づいて避難してもらうことができる。
【００２０】
更に、本発明は、増幅部及び利得制御部はプロセッサに内蔵されたアナログ回路で構成することにより次の効果が得られる。
【００２１】
従来の警報器で音量を変化させて警報音を出力しようとする場合、異なる音量となる複数の音声データをＲＯＭに記憶するか、またＲＯＭに記憶した単一の音声データに基づきＰＷＭパルスのオンデューティ幅の異なるデータをプロセッサ内で作成する必要があり、音声データのデータ量が多くなるため、記憶容量の大きなＲＯＭを使用しなければならず、そのため例えばコストアップになり、また音量調整のためのＰＷＭパルスの生成についてのプロセッサの処理負担が増加するといった問題がある。
【００２２】
この問題を解決するためには外部回路として設けている音声アンプを利得制御回路付きとしてプロセッサから利得制御を指示すれば良いが、利得制御付きの音声アンプは回路構成が複雑で部品点数も増えるためコストアップとなり、また回路配置スペースも増加し、部品特性のばらつきや部品実装に伴う品質管理項目が増え、更に、プロセッサに、利得制御信号を外部出力するためのポートレジスタ及びＤＡ変換ポートなどの外部インタフェースが必要となり、充分な解決とはならない問題がある。
【００２３】
これに対し本発明にあっては、増幅部及び利得制御部を構成するアナログ回路をプロセッサに内蔵したため、利得制御機能付きの音声増幅回路をプロセッサの外部回路として設ける必要がなく、コスト及び回路配置スペースの低減を図ることができ、部品特性のばらつきや部品実装に伴う品質管理項目の増加も抑制することができる。また増幅部及び利得制御部がプロセッサに内蔵されているため、外部インタフェースを使用したコマンド実行によらず、ＣＰＵによる命令実行で直接的な利得制御が簡単且つ容易にでき、その結果、ＣＰＵの処理負担を増加させることなく、前述したような様々できめ細かな音量制御が実現でき、警報器のトータル的な性能向上に大きく寄与できる。
【図面の簡単な説明】
【００２４】
【図１】本発明による住警器の外観を示した説明図
【図２】本発明による住警器の実施形態を示したブロック図
【図３】図２の住警器における電池電圧の低下に対する利得制御による音量変化を説明するタイムチャート
【図４】電池電圧の低下に対し音声増幅の利得が一定の場合の音量変化を示したタイムチャート
【図５】図２の実施形態における監視処理を示したフローチャート
【発明を実施するための形態】
【００２５】
図１は本発明による警報器としての住警器を例にとってその外観を示した説明図であり、図１（Ａ）に正面図を、図１（Ｂ）に側面図を示している。
【００２６】
図１において、本実施形態の住警器１０の筐体はカバー１２と本体１４で構成されている。カバー１２は中央に突出部を設け、その周囲に複数の煙流入口を開口し、更にその内部には検煙部１６が配置され、火災による煙が所定濃度に達したときに火災を検知するようにしている。
【００２７】
カバー１２に設けた検煙部１６の左下側には音響孔１８が設けられ、この背後にブザーやスピーカを内蔵し、音声メッセージ等による報知音響を出力できるようにしている。検煙部１６の下側には警報停止スイッチ２０が設けられている。
【００２８】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯、点滅、明滅作動すると、警報停止スイッチ２０のスイッチカバーの部分を透過してＬＥＤ２２の作動状態が外部から分かるようにしている。
【００２９】
警報停止スイッチ２０は、操作時における住警器１０の動作状態に応じて警報停止スイッチ及び点検スイッチとして機能する。
【００３０】
例えば住警器１０の火災報知を行っている時に警報停止スイッチ２０を操作すると当該警報を停止する警報停止スイッチとして機能する。また、住警器１０の通常監視状態で警報停止スイッチ２０を操作すると、所定の点検動作を実行して点検結果を音声メッセージにより出力する。即ちこのとき警報停止スイッチ２０は点検スイッチとして機能する。
【００３１】
また本体１４の裏側上部には略中央部に挿通孔を有する取付フック１５が設けられており、設置する部屋の壁面等にビスなどをねじ込み、この取付フック１５の挿通孔をビスに通して引っ掛けることで、壁面等に住警器１０を所謂壁掛け状に固定設置することができる。
【００３２】
なお図１の住警器１０にあっては、検煙部１６を備え、火災による煙を検出する住警器を例に取っているが、これ以外に火災による熱を検出するサーミスタ等の温度検出素子を備えた住警器や火災に伴うその他の物理現象を検出して火災を検知する住警器、火災以外にガス漏れを検知する警報器、侵入者や地震その他の異常を検知する各種の警報器、これらを組み合わせて成る警報器についても、本発明の対象に含まれる。
【００３３】
図２は図１に示した住警器の実施形態を示したブロック図である。図２において、住警器１０はワンチップＣＰＵとして知られたプロセッサ２４を備え、プロセッサ２４に対してはセンサ部２６、操作部２８、電池電圧検出部３０、報知部３２及び電池３４を設けている。
【００３４】
センサ部２６には、監視エリアの煙を検出して信号を出力する検煙部１６を設けている。上述の通り、センサ部２６には検煙部１６に代えて、火災による温度を検出するサーミスタ等の温度検出素子や、火災に伴うその他の物理現象変化を検出する各種素子を設けてもよい。
【００３５】
操作部２８には警報停止スイッチ２０が設けられている。警報停止スイッチ２０は前述のように、その時の住警器１０の動作状態に応じて、警報停止（を指示する）スイッチ又は点検（を指示する）スイッチとして機能する。
【００３６】
電池電圧検出部３０は電池３４の出力電圧即ち電源供給電圧を検出する。電池電圧３０の検出は例えばスピーカ３２に火災検知時と同等の報知音量出力となる音声信号に相当するパルス信号（直流間欠信号）を供給して電池３４に負荷をかけた状態での電池電圧を検出する。なお、スピーカ３２ではなくダミー抵抗を疑似負荷として接続した状態での電池電圧を検出しても良い。
【００３７】
報知部３２には報知音を出力するスピーカ３６と警報表示を行うＬＥＤ２２が設けられている。スピーカ３６は、プロセッサ２４のスピース出力端子６０ａ，６０ｂに接続されており、音響信号の増幅は後の説明で明らかにするプロセッサ内蔵回路により行われる。ＬＥＤ２２は点滅や明滅、点灯などにより、火災などの異常その他を表示報知する。なお、スピーカ３６に代えて、ブザー等を用いても良い。またＬＥＤ２２に代え、２色ＬＥＤや液晶表示器等を設けても良い。もちろん、ＬＥＤと液晶表示器等を併設しても良い。
【００３８】
電池３４は、例えば所定セル数のリチウム電池やアルカリ乾電池を使用しており、電池容量としては住警器１０における回路部全体の低消費電力化により、例えば１０年の電池寿命を保証するものとしている。
【００３９】
なお、プロセッサ２４に対しては図示しない移報回路部も設けられており、移報回路部は例えば火災検知時に、他の機器に火災検知を示す移報信号を出力して連動動作を行わせるもので、移報信号は例えば無電圧接点開閉信号等である。
【００４０】
プロセッサ２４には住警器１０の各種処理をプログラム制御により実行するためのデジタル回路部と音声増幅を行うためのアナログ回路部が設けられている。
【００４１】
デジタル回路部としてはＣＰＵ３８が設けられ、ＣＰＵ３８からのバス４０に、制御ロジック４２、ＲＯＭ４４、ＲＡＭ４６、ＡＤ変換ポート４８，５２、入力ポート５０、ＰＷＭ出力ポート５４、出力ポート５６を接続している。ＲＯＭ４４にはＣＰＵ３８の動作に必要なプログラムや各種のデータ等が格納されており、適宜読み出されて実行、利用される。なお、制御ロジック４２はＣＰＵ３８の制御処理に伴うバス制御などの各種のハードウェア機能を実現する。
【００４２】
ＡＤ変換ポート４８にはセンサ部２６が接続され、ＡＤ変換ポート５２には電池電圧低下検出部３０が接続され、入力ポート５０には操作部２８が接続され、ＰＷＭ出力ポート５４には外部回路としてローパスフィルタ６６が接続され、出力ポート５６にはＬＥＤ２２が接続されている。
【００４３】
アナログ回路部としては、増幅部６２と利得制御部６４が設けられる。増幅部６２はＣＰＵ３８の命令による利得制御部６４の制御により、音響信号増幅度（利得Ｇ）を多段階に切り替えて報知部２２のスピーカ３６を駆動する。増幅部６２と利得制御部６４はプロセッサ２４内で上記の機能を実行可能なものであれば、公知の各種回路を適用することができる。
【００４４】
増幅部６２の入力は入力抵抗Ｒｉを介して入力端子５８に接続されている。スピーカ５６から出力される報知音の音声データはＲＯＭ４４に記憶されている。ＲＡＭ４４に記憶した音声データは所定の音声メッセージの音声信号の振幅を一定周期でサンプリングしてＡＤ変換した振幅データであり、ＣＰＵ３８は音声データをＲＯＭ４４から読み出した後に振幅値に応じてオンデューティが変化するＰＷＭパルスに変換し、ＰＷＭ出力ポート５４から外部回路として設けてローパスフィルタ６６に出力し、連続的なアナログ音声信号に変換し、増幅部６２で増幅した後、スピーカ３６を駆動する。
【００４５】
ＣＰＵ３８にはプログラムの実行により実現される機能として、警報処理部６８と音量制御部７０の機能が設けられている。
【００４６】
警報処理部６８は、センサ部２６からの煙検出信号から火災を検知した場合にスピーカ３６から火災を示す報知音を出力させると共に、ＬＥＤ２２を駆動させて火災の報知表示を行う。
【００４７】
具体的に説明すると、警報処理部６８は、センサ部２６に設けた検煙部１６の煙検出信号を所定の閾値と比較し、閾値を超えた場合に火災を検知し、報知部３２のスピーカ３６から報知音響として例えば「ウーウー  火事です  火事です」の音声メッセージを繰り返し出力させると共に、ＬＥＤ２２を点灯して表示によっても報知を行う。
【００４８】
検煙部１６の煙検出信号に基づく火災検知（判断）までを、センサ部２６で行うようにしても良く、この場合警報処理部６８はセンサ部２６からの火災検出信号を受けて、自己では火災検出（判断）処理を行うことなく報知部２２からの報知出力等を指示制御するようにする。
【００４９】
警報処理部６８は、火災の報知出力中に、入力ポート５０への信号入力を受けて警報停止スイッチ２０の操作を検出した場合、スピーカ３６からの音声メッセージとＬＥＤ２２の表示による火災の報知出力を停止させる。この場合ＬＥＤ２２による表示については、スピーカ３６からの音声メッセージ出力停止後所定時間経過してから停止しても良い。
【００５０】
また、警報処理部６８は、住警器１０の通常監視状態（火災報知を行っていない状態）で、入力ポート５０への信号入力を受けて操作部２８に設けた警報停止スイッチ２０の操作を検出した場合に所定の内部点検を実行して報知部３２から点検結果を出力させる。
【００５１】
例えば点検結果が正常であればスピーカ３６から「正常です」といった音声メッセージを含む音響を出力させ、もし故障を検知していれば「ピッ  故障です」といった音声メッセージを含む報知音響を出力させる。故障を検知した場合には、その後所定時間毎に音声メッセージを含む報知音響を繰り返し出力させる。
【００５２】
点検処理で点検する内容としては、検煙部１６（センサ）故障の有無、回路故障の有無、感度異常の有無、その他障害の有無等がある。もちろん、点検結果の報知には、ＬＥＤ２２による表示も適宜使用することができる。
【００５３】
電池電圧低下については、次に説明するように通常監視状態でも内部で定期的に点検しているが、点検操作による点検時にも行うようにすることができる。電池電圧の点検は例えば電池電圧検出部による電池負荷試験として行う。
【００５４】
警報処理部６８は、電池負荷試験を行う所定の時間間隔Ｔ３、例えばＴ３＝４時間間隔で電池３４の電源電圧を、電池電圧検出部３０を介してＡ／Ｄ変換ポート５２から読み込んで所定の閾値電圧と比較し、この閾値電圧以下の場合に電池電圧低下障害と判定し、更に電池電圧低下障害との判定が連続して所定回数続いたときに電池電圧低下障害を断定し、スピーカ３６から例えば「ピッ  電池切れです」の音声メッセージを３回出力させると共に、この報知音に同期してＬＥＤ２２を点滅させる。
【００５５】
その後は、定期鳴動として例えば１時間毎に「ピッ  電池切れです」といった報知音を３回出力する。また通常監視状態で警報停止スイッチ２０により点検指示操作が行われた場合にも「ピッ  電池切れです」の音声メッセージを１回出力すると共にＬＥＤ２２を点滅させる。
【００５６】
なお、ＡＤ変換ポート５２を入力ポート５２と同様の入力ポートに代えて、電池電圧検出部で電池電圧低下の判断まで行い、判断結果に応じた例えばオンオフ信号をポート５２を介してプロセッサ２４に入力するようにしても良い。
【００５７】
電池電圧低下障害処理とは別に、音量制御部７０は、警報処理部６８が電池電圧検出部３０からＡＤ変換ポート５２を介して取得した電池電圧を、予め多段階に設定した（例えばＲＡＭ４６に格納してある設定テーブルに基づいた）閾値電圧と比較した結果電池の電圧低下を検出（判断／断定）した場合に、電池電圧の低下に伴ってスピーカ３６からの報知音量が低下することを防止するため、利得制御部６４に利得制御を指示し、その後出力される報知音量を所定以上に保つように制御する。
【００５８】
図３は図２の音量制御部７０による電池電圧の低下に対する増幅部の利得制御と警報音量の変化を説明するタイムチャートである。
【００５９】
図３（Ａ）は時間ｔに対する電池電圧の変化であり、使用期間の経過に伴う動作電流消費の累積と共に電池電圧は緩やかに低下し、閾値電圧Ｖｄを下回ると電池電圧低下障害が断定されて報知される。
【００６０】
これは電池切れ（動作停止）の予告報知であり、この予告報知期間は電池交換までの猶予期間である。即ち電池電圧低下障害報知が開始されてからも引き続き所定期間は住警器１０としての動作を継続できるが、電池交換が行われないまま時間が経過し、電池電圧がＶｄよりも低い所定の閾値（リセット電圧：図示せず）に至った場合には住警器１０は動作を停止することになる。
【００６１】
なお、電池電圧低下はこのような経時によるだけでなく、周囲環境温度低下によっても、さらに低下する。温度低下による電圧低下は、その温度低下が解消すれば回復することもあるため、図３の曲線は単純な下降曲線とならない場合もあるが、ここでは説明を簡単にするため、単純に下降する場合を例示している。
【００６２】
このように変化する電池電圧に対しては各時点における各種の報知音量制御のため、閾値Ｖｔｈ１〜Ｖｔｈ５が段階的に設定されている。このような閾値は図示の例に限らず、Ｖｄよりも低い値（但し、リセット電圧よりも高い値）を設定しても良いが、電池電圧低下障害状態でその期間中単に一律に報知音量を増加させることは好ましくない。
【００６３】
図３（Ｂ）は利得制御部６４の設定利得であり、初期利得はＧ１である。利得Ｇ１は、このときの電池電圧下で住警器として規格上定められた７０ｄＢ／ｍ以上の所定音量ＶＬｏがスピーカ３６から出力される設定状態である。なお、規格は一連の火災報知音のうちのピーク音量を規定するものであり、ピーク以外の部分や、障害等に係る火災以外の報知音について規定するものではない。ここで説明する音量制御も、少なくとも一連の火災報知音のうちのピーク音量について行われているものとする。
【００６４】
電池電圧が閾値Ｖｔｈ１〜Ｖｔｈ５を下回ると、これが検出されて利得Ｇ１はＧ２〜Ｇ６に示すように段階的に増加され、火災報知について常に７０ｄＢ／ｍ以上の所定音量で報知できるようにしている。
【００６５】
具体的には、電池電圧の低下に伴う図３（Ｂ）のような利得の増加制御により、スピーカ３６からの音量は図３（Ｃ）に示すように、常に所定音量ＶＬｏ以上に維持される。
【００６６】
図４は比較例として電池電圧の低下に対し利得を制御せずに一定利得Ｇとした場合を示している。この場合には、電池電圧の低下に伴って利得は一定であることから音量が規定音量ＶＬｏを下回ることになる。このため従来は、ｔ＝０での初期音量を充分に大きくして対応していたが、これでは曲線の下降勾配が急になり、結局閾値Ｖｄに達する時間が早くなる（図示せず）。
【００６７】
再び図２を参照するに、音量制御部７０は、警報処理部６８で電池電圧の低下、センサ部の故障をはじめとする障害を検知した場合に、障害発生を示す報知音のうち、所定の初期部分の音量を所定以上の音量とし、それ以降の警報音量に比べて大きくするように利得制御部６４に利得制御を指示する。このため報知部２２では、例えば最初に故障を検知した場合は「ピッ  故障です」という障害警報を所定以上の音量で出力し、２回目以降は利得を下げて初回より小さい音量で報知する。これら３回の障害報知出力を連続して行い、一連の報知音出力とする。
【００６８】
また、電池電圧低下障害を断定した場合（電池負荷試験で電池電圧が所定回数連続して閾値Ｖｄを下回った場合）、音量制御部７０は報知部２２から最初は例えば「ピッ  電池切れです」を所定音量で連続３回出力するが、その後は定期鳴動として例えば１時間毎に「ピッ  電池切れです」といった警報音を最初の３回連続出力時より小さい音量で連続３回出力されるように制御し、電池切れが近づいた電池３６の消耗を抑制して、可能な限り住警器１０の監視機能を長く維持する（電池交換猶予期間を確保する）。
【００６９】
また、音量制御部７０は、警報処理部６８で火災を検知した場合に、例えば「ウーウー 火事です 火事です」の音声メッセージを出力するが、最初の「ウー」はそれ以降の部分に比べて小さい音量となるように利得制御することで、さらに報知音出力開始初期に大音量を出力して利用者を驚かせることを防止し、残りの「ウー 火事です 火事です」は規格を満たすピークを含む所定以上の所定音量範囲に大きくし、落ち着いて、且つ確実に火災発生に気づいて避難できることを可能にする。
【００７０】
図５は図２の住警器１０における処理動作を例示したフローチャートである。図５において、住警器１０の電池３４による電源供給が開始されると、ステップＳ１で初期化および自己診断を実行し、異常がなければステップＳ２に進み、センサ部２６に設けた検煙部１６からの検出信号に基づく火災検知の有無を判別し、火災検知を判別するとステップＳ３に進み、スピーカ３６からの音声メッセージとＬＥＤ２２の点灯表示とによる火災報知出力を行う。
【００７１】
続いてステップＳ４で検煙部１６からの煙検出信号が低下して火災状態が解消する（警報処理部６８が火災を検知しなくなる）火災復旧の有無を判別しており、火災復旧を判別するとステップＳ６に進んでスピーカ３６からの報知音出力を停止し、ＬＥＤ２２の点灯表示を消灯することにより、火災報知を停止する。
【００７２】
ステップＳ４で火災復旧が判別されない場合はステップＳ５で警報停止スイッチ２０の操作有無を判別し、スイッチ操作が判別されるとステップＳ６でスピーカ３６からの報知音を停止し、ＬＥＤ２２の点灯表示を消灯することにより、火災報知出力を停止する。即ちこのとき、警報停止スイッチ２０は警報停止スイッチとして機能する。なお、ＬＥＤ２２は報知音の出力停止から所定時間経過後に消灯しても良い。
【００７３】
続いてステップＳ７で電池切れ検出、即ち電池電圧が閾値Ｖｄを連続して下回ることによる電池電圧低下障害（断定）検知の有無が判別されており、電圧低下障害が判別されるとステップＳ８に進み、スピーカ３６からの音声メッセージ出力とＬＥＤ２２の点滅表示により電池切れ予告報知（電池電圧低下障害報知）を行った後、ステップＳ９に進んでＲＡＭ４６に電池電圧低下（障害）フラグをセットする。なお、電池電圧低下フラグのセット状態では、定期鳴動として例えば１時間毎に「ピッ  電池切れです」といった警報音を３回繰り返して出力する。なお、電池電圧低下障害状態（電池電圧低下フラグセット状態）においても、住警器１０は通常火災監視をはじめとする各機能を実行することができる。
【００７４】
続いてステップＳ１０に進み、通常監視状態での警報停止スイッチ２０の操作有無を判別しており、スイッチ操作を判別するとステップＳ１１に進み、検煙部１６の故障有無、回路故障の有無、検煙部１６の感度異常有無、その他障害の有無等について点検処理を実行する。即ちこのとき、警報停止スイッチ２０は点検スイッチとして機能する。なお、通常監視状態で警報停止スイッチ２０が操作されると、「ピッ」といった操作受付音を出力する。
【００７５】
続いてステップＳ１２でＲＡＭ４６の電池電圧低下フラグのセット有無を判別し、リセットを判別した場合はステップＳ１３に進んで点検結果、即ち正常状態か障害状態かをスピーカ３６の音声メッセージにより報知する。
【００７６】
ステップＳ１２で電池電圧低下フラグのセットを判別した場合はステップＳ１４に進み、ステップＳ８と同様に、スピーカ３６からの音声メッセージとＬＥＤ２２の点滅により電池切れ予告報知出力を行う。
【００７７】
なおステップＳ９で電池電圧低下フラグがセットされた後に警報停止スイッチ２０が操作された場合には、点検処理を行わず直ちにステップＳ１４に移行しても良い。また、ステップＳ９でセットされた電池電圧低下フラグは、ステップＳ１４からステップＳ２へ戻る際にリセットするか、次回以降ステップＳ７で電池電圧低下障害検知が無かった場合にリセットすれば良い。また、初回起動時および電池交換後は、ステップＳ１の初期化処理で電池電圧低下フラグをリセットする。
【００７８】
一方、ステップＳ１０でスイッチ操作判別がない場合はステップＳ１５に進み、その時、検出されている電池電圧を図３（Ａ）のように多段階に設定した閾値Ｖｔｈ１〜Ｖｔｈ５と比較し、いずれかの閾値を下回る電池電圧低下検出（段階の遷移検出）を判別するとステップＳ１６に進み、図３のように、電池電圧の各段階に対応して利得制御部６４に利得制御を指示し、増幅部６２の利得を、現在の電池電圧段階に対応するよう増加させる。
【００７９】
ここでステップＳ３の音声による火災報知の際、音声メッセージの開始部分はそれ以降より小さい音量の所定範囲とするように利得制御する。また、ステップＳ８，Ｓ１３、Ｓ１４の障害警報音の出力については、初回は所定以上の所定音量範囲となるように利得制御し、２回目以降は初回より小さい音量範囲となるように利得制御する。
【００８０】
なお、上記の実施形態は、プロセッサにアナログ回路として増幅部と利得制御部を内蔵した場合を例にとっているが、増幅部と利得制御部のいずれか一方をプロセッサに内蔵し、他方を外部回路として設けた場合にも適用できる。
【００８１】
また、上記の実施形態は、ＲＡＭに記憶した音声データをＰＷＭパルスに変換した後にローパスフィルタで音声信号に変換する場合を例にとっているが、音声データはＲＯＭに記憶しても良い。また、本発明は音声出力に際してＰＷＭパルスを使用するもの以外にも適用できる。
【００８２】
また、上記の実施形態は火災を検知して警報する住警器を例にとるものであったが、ガス漏れ警報器、ＣＯ警報器、各種の防犯用警報器についても適用できる。また、複数の住警器や警報器を配置して警報を連動させる警報システムの住警器や警報器についても同様に適用できる。
【００８３】
複数の警報器で警報を連動させる場合は、各住警器、警報器に無線通信部を備え、他の住警器、警報器との間で連動信号を送受信するようにする。
【００８４】
また、上記の実施形態で警報停止スイッチ２０として示した操作手段は、必ずしもスイッチである必要は無く、リモコン装置等を使用して外部からの通信によって警報履歴出力を指示するもの等、どのような手段や方法を適用しても良い。
【００８５】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【００８６】
また、表示部は警報器と別体に設けられていても良い。
【００８７】
また、上記の実施形態は住宅用に限らずビルやオフィス用など各種用途の警報器にも適用できる。
【００８８】
また、上記の実施形態は警報器にセンサ部を一体に設けた場合を例にとるが、他の実施形態として、センサ部を別体とした警報器であっても良い。
【００８９】
また本発明は上記の実施形態に限定されず、その目的と利点を損なうことのない適宜の変形を含み、更に上記の実施形態に示した数値による限定は受けない。
【符号の説明】
【００９０】
１０：住警器
１２：カバー
１４：本体
１５：取付フック
１６：検煙部
１８：音響孔
２０：警報停止スイッチ
２２：ＬＥＤ
２４：プロセッサ
２６：センサ部
２８：操作部
３０：電池電圧検出部
３２：報知部
３４：電池
３６：スピーカ
３８：ＣＰＵ
４０：制御ロジック
４４：ＲＯＭ
４６：ＲＡＭ
４８，５２：ＡＤ変換ポート
５０：入力ポート
５４，５６：出力ポート
５８：入力端子
６０ａ，６０ｂ：スピーカ出力端子
６２：増幅部
６４：利得制御部
６６：ローパスフィルタ
６８：警報処理部
７０：音量制御部
【図１】
0005508135.tif 000002
【図２】
0005508135.tif 000003
【図３】
0005508135.tif 000004
【図４】
0005508135.tif 000005
【図５】
0005508135.tif 000006